(57)【要約】【課題】入力部の操作内容を好適にガイドすることにより操作性の高い電子機器を提供する。【解決手段】各補助ボタン３１ａ〜ｃの機能の操作内容を示すための第１操作ガイド１３ａ〜ｃ及び第２操作ガイド１４ａ〜ｃを有し、携帯端末１００が閉じている場合の第１状態（サブモニタ１５が外側に出ている状態）と第２状態（メインモニタ１１が外側に出ている場合）の補助ボタン３１ａ〜ｃを押下した際に実行される機能が理解されやすい。【選択図】図４
2008011276.tif 000002
【特許請求の範囲】
【請求項１】
第１筐体と、前記第１筐体に対して第１状態と第２状態とをとり得るように連結された第２筐体とを有する電子機器であって、
前記第２筐体が前記第１状態或いは前記第２状態のいずれの状態にあるときにも外部に露出する位置に配された入力部と、
前記第２筐体が前記第１状態にあるときの、前記入力部における第１操作ガイドを示す第１操作ガイド部と、
前記第２筐体が前記第２状態にあるときの、前記入力部における第２操作ガイドを示す第２操作ガイド部と、
を有することを特徴とする電子機器。
【請求項２】
前記第１筐体と前記第２筐体とは連結部を介して連結され、
前記入力部は、前記連結部に配設され、
前記第１操作ガイド部及び前記第２操作ガイド部は、前記第２筐体に配設される
請求項１に記載の電子機器。
【請求項３】
複数の機能を動作可能な機能動作部を更に有し、
前記第１操作ガイド部及び前記第２操作部ガイド部は、前記機能動作部により動作可能な機能に係る内容をガイド可能に構成され、
前記機能動作部は、前記入力部が押下された際に、前記第１状態においては前記第１操作ガイド部にガイドされている機能の動作を実行し、前記第２状態においては前記第２操作ガイド部にガイドされている機能の動作を実行する
ことを特徴とする請求項１または２に記載の電子機器。
【請求項４】
複数の機能を動作可能な機能動作部を更に有し、
前記第１操作ガイド部と前記第２操作ガイド部との少なくとも一方は、前記機能動作部により動作される機能に応じてガイド内容を変更可能に構成される
ことを特徴とする請求項１に記載の電子機器。
【請求項５】
前記第２筐体は、画面表示可能な表示面を有する表示部を有し、
前記表示部は、前記第１状態においては前記表示面が前記第１筐体に対向され、前記第２状態においては前記表示面が外部に露出され、
前記入力部は、前記第２筐体が前記第２状態にある場合は、前記機能動作部により機能動作可能な機能のうち、前記表示部の前記表示面による画面表示を用いる機能の動作を行うために用いられ、
前記第２操作ガイド部は、前記表示部の前記表示面による画面表示を用いる前記機能に係る内容をガイドする
ことを特徴とする請求項３または４に記載の電子機器。
【発明の詳細な説明】
【技術分野】
【０００１】
本発明は、入力手段を有する電子機器に関する。
【背景技術】
【０００２】
近年、折り畳み型、水平回転型、２軸回転型等、開いた状態と閉じた状態とを有する携帯端末を代表とする電子機器が存在する。
【０００３】
上述したような携帯端末では、筐体が閉じた状態においては、テンキー等の操作ボタン類（主操作部）が筐体の内側にしまわれ、キー入力ができない、という不利益があった。また、筐体の横部等、閉じた状態においても外部から触れることができる部位に補助的なボタン（副操作部）を設置したものも存在するが、これらの補助的なボタンは、設置スペースの観点から設置数が少なく、また、補助的なキー操作しか行うことができない、という不利益があった。
上述した不利益を解消する手段として、特許文献１に開示された技術がある。
【特許文献１】特開２００５−４５５８０号公報
【発明の開示】
【発明が解決しようとする課題】
【０００４】
特許文献１には、筐体の外面に表示手段を設けてソフトキーを表示すると共に、筐体の側面にソフトキーに対応する操作キー（側面キー）を設けてキー入力するように構成した折り畳み式情報処理装置が開示されている。
【０００５】
しかし、特許文献１に開示されている折り畳み式情報処理装置では、閉じた状態での側面キーに対応するソフトキーについては開示されているが、開いた状態では表示手段にどのように側面キーに対応したソフトキーを表示するのか、については開示されておらず、開いた状態においては表示手段に表示されたソフトキーの役割がユーザにわかりにくい、という不利益があった。
また、側面キーに操作内容を表示（例えばキーに「決定」等、当該キー押下時に実行される機能を文字によって刻印する等）しようとしても、側面キーには概ね複数の操作が割り当てられているため、当該側面キーの全ての操作に対して操作内容を表示することが困難である、という不利益があった。
また、側面以外に設置された補助的なボタンの操作内容については開示されていなかった。
【０００６】
本発明は、上述した不利益を解消するために、入力部の操作内容をガイドし、操作性の高い電子機器を提供することを目的とする。
【課題を解決するための手段】
【０００７】
上述した目的を達成するために、本発明の電子機器は、第１筐体と、前記第１筐体に対して第１状態と第２状態とをとり得るように連結された第２筐体とを有する電子機器であって、前記第２筐体が前記第１状態或いは前記第２状態のいずれの状態にあるときにも外部に露出する位置に配された入力部と、前記第２筐体が前記第１状態にあるときの、前記入力部における第１操作ガイドを示す第１操作ガイド部と、前記第２筐体が前記第２状態にあるときの、前記入力部における第２操作ガイドを示す第２操作ガイド部と、を有する。
【発明の効果】
【０００８】
本発明によれば、入力部の操作内容を好適にガイドすることにより操作性の高い電子機器を提供することができる。
【発明を実施するための最良の形態】
【０００９】
以下、本実施形態の携帯端末１００（電子機器）について説明する。
図１は、携帯端末１００の信号処理系のブロック図である。
図１に示すように、携帯端末１００は、送受信アンテナ１１１を含む通信処理部１０１と、メモリ１０２と、音声処理部１０３と、表示部１０４と、操作部１０５と、制御部１０６とを有する。
【００１０】
通信処理部１０１は、制御部１０６で処理された電話の発信動作に係る音声情報や電子メールの発信動作に係る文字情報等の各種情報を変調し、その変調したデータを送受信アンテナ１１１により電波として基地局に送信する。
また逆に、通信処理部１０１は、基地局から送信された電話の発信動作に係る音声情報や電子メールの発信動作に係る文字情報等の各種情報を電波として送受信アンテナ１１１で受信し、受信した電波を復調してその復調したデータを制御部１０６に出力する。
このように、通信処理部１０１は、電話の発着信動作や電子メールの送受信動作などの無線通信動作を行う。
【００１１】
なお、通信処理部１０１と基地局との間の通信は次のように実施される。
通信処理部１０１は、基地局に対して発呼要求を送信し、基地局とのデータリンクを確立する。
基地局は、通信処理部１０１からの発呼要求を受信すると、トラフィックの状況を判断し、基地局から携帯端末１００に対して、通信を行うチャネルの割り当てを行う。これにより、データリンクが確立される。
一旦、データリンクが確立されると、携帯端末１００と基地局との間で割り当てられた通信方式によるデータ通信が可能となる。
また、通信処理部１０１と基地局とが通信中である場合に、携帯端末１００の移動等により基地局が他の基地局に切り替わる時には、他の基地局に対するチャネルの割り当てが基地局主導で行われる。
【００１２】
メモリ１０２は、ＥＥＰＲＯＭ（Electronically Erasable and Programmable Read Only Memory）等の不揮発性メモリを含んで構成され、通話やメールの送受信のための制御プログラム、インターネットブラウザ、メッセージデータ、名前および電話番号が登録されたアドレス帳などを記憶する。
【００１３】
音声処理部１０３は、音声処理回路を有し、通話機能のために音声出力を行うスピーカとマイクとを有して構成されており、マイクにより集音した音声に対して符号化等の所定の処理を行って制御部１０６に供給したり、制御部１０６により供給された音声情報に対して復号化等の所定の処理を行ってスピーカから出力させたりする。
【００１４】
表示部１０４は、携帯端末１００の筐体の上部に配設された液晶表示装置（ＬＣＤ：Liquid Crystal Display）等の表示デバイスを有し、制御部１０６の指示に基づいてテキストデータや画像、ＴＶ画面、音楽再生画面等を表示デバイス上に表示する。
【００１５】
操作部１０５は、複数の入力キー（以下、単にキー）を有する。
操作部１０５を構成する各キーは、ユーザの操作（押下）を検出し、電気信号を制御部１０６に供給する。これにより、制御部１０６は、いずれのキーが操作されたかについて判断することができる。
【００１６】
制御部１０６（機能動作部）は、ＣＰＵ（Central Processing Unit）を主体として構成され、携帯端末１００の全体の制御を行う。たとえば、制御部１０６は、通信処理部１０１における無線通信動作の制御、音声処理部１０３に対する音声情報の処理、表示部１０４への情報の表示制御、操作部１０５の入力情報に応じた処理、メモリ１０２に対するアクセス制御等を行う。また、制御部１０６は、音楽再生機能及びテレビ視聴機能等の種々の機能の動作の制御を行う。
【００１７】
図２は、携帯端末１００の外観を示す図である。
図２は、折り畳み型の携帯端末１００が開いた状態における外観を示す図である。
図２に示すように、携帯端末１００は、上部筐体１（第２筐体）、下部筐体２（第１筐体）、ヒンジ部３（連結部）によって構成される。
図２（ａ）が携帯端末１００を表面（キー入力部２１がある側）から見た図、図２（ｂ）が携帯端末１００を裏面（キー入力部２１がない面）から見た図である。
上部筐体１は、メインモニタ１１と、スピーカ１２と、第１操作ガイド１３、第２操作ガイド１４、サブモニタ１５とを有する。
【００１８】
メインモニタ１１と、スピーカ１２と、第２操作ガイド１４とは同一の主面１６に設置され、第１操作ガイド１３及びサブモニタ１５はこれとは反対側の第２主面１７に設置される。
メインモニタ１１は、ＬＣＤ等であり、上述した表示部１０４が表示を行う表示デバイスである。
スピーカ１２は、音声処理部１０３が音声情報を出力する音声出力デバイスである。
【００１９】
第１操作ガイド１３（第１操作ガイド部）は、後述する補助ボタン３１の各ボタンの操作内容、すなわち、各ボタンをユーザが押下した際に、携帯端末１００のどのような機能が実行されるかを示すガイドであり、例えば上部筐体１の第２主面１７に印刷、刻印（上部筐体の一部を盛り上がらせたり窪ませたりして文字や記号等を形成する）等により形成されている。
第２操作ガイド１４（第２操作ガイド部）は、主面１６における第１操作ガイド１３に対応する位置に設置され、第１操作ガイド１３と同様に後述する補助ボタン３１の各ボタンの操作内容を示すガイドである。
第１操作ガイド１３及び第２操作ガイド１４の詳細については後述する。
サブモニタ１５は、ＬＣＤや有機ＥＬ（Electro luminescence）ディスプレイ等の表示部１０４が表示を行う表示デバイスであり、主に補助的な表示（例えば着信時の通知、時刻表示等）を行う。
【００２０】
下部筐体２は、キー入力部２１、マイク２２を有する。
キー入力部２１は、上述した操作部１０５の入力デバイスであり、例えば、０〜９の数字及び♯、＊に対応したテンキー、十字キー、決定キー、発話キー、電源キー等から構成される。
マイク２２は、音声を集音して音声処理部１０３に入力する。
キー入力部２１及びマイク２２は、下部筐体２の同一の主面２３に存在する。
【００２１】
ヒンジ部３は、第１回転軸Ａ及び第２回転軸Ｂを中心として、上部筐体１及び下部筐体２を相対的に回転（移動）させる２軸回転機構を有する。
ヒンジ部３による、２軸回転の具体例を図３及び図４に示す。図３（ａ）〜（ｃ）は、第１回転軸Ａを中心にして、上部筐体１を回転させる場合について示している。
【００２２】
図３（ａ）は、上部筐体１の主面１６と下部筐体２の主面２３とを略同一方向に向けた場合の携帯端末１００を開いた状態を示す図である。
図３（ｂ）は、ヒンジ部３の回転機構により、第１回転軸Ａを中心に上部筐体１を回転させている途中の状態を示した図である。
図３（ｃ）は、上部筐体１の第２種面１７と下部筐体２の主面２３とを同一方向に向けた場合の携帯端末１００を開いた状態を示す図である。
図３（ａ）〜（ｃ）に示すように、携帯端末１００は、ヒンジ部３の回転機構により、第１回転軸Ａを中心に、上部筐体１を裏返しの状態にすることができる。
【００２３】
下部筐体２を固定し、第２回転軸Ｂを中心に上部筐体１を図２における手前側に回転させれば、図４に示すように携帯端末１００を折り畳むことができる。
図４は、折り畳んだ状態の携帯端末１００を上部筐体１側から見た図である。
図４（ａ）は、上部筐体１の第２主面１７が外側に出ている場合の携帯端末１００を折り畳んだ状態を示す図である。以下、この状態を第１状態と称する。
図４（ｂ）は、上部筐体１の主面１６が外側に出ている場合の携帯端末１００を折り畳んだ状態を示す図である。以下、この状態を第２状態と称する。
【００２４】
図２（ｂ）、図４（ａ）及び図４（ｂ）に示すように、ヒンジ部３の携帯端末１００を折り畳んだ際に外側に出る面には補助ボタン３１（入力部）が配設されている。
本実施形態では、一例として補助ボタン３１は３個の補助ボタン３１ａ、３１ｂ、３１ｃで構成されるとする。
また、図４（ａ）及び図４（ｂ）に示すように、上部筐体１は、第２主面１７側に第１操作ガイド１３ａ〜ｃを、そして主面１６側に第２操作ガイド１４ａ〜ｃを有して構成されており、第１操作ガイド１３ａ〜ｃは、図４（ａ）における第１状態にあるときの各補助ボタン３１ａ〜３１ｃに、そして第２操作ガイド１４ａ〜ｃは図４（ｂ）における第２状態にあるときの各補助ボタン３１ａ〜ｃにそれぞれ対応して構成される。
【００２５】
ここで補助ボタン３１ａ〜ｃとは、制御部１０６により動作可能な機能が、押下により実行されるよう割り当てられたボタンである。
また、第１操作ガイド１３ａ〜ｃは、図４（ａ）の第１状態において補助ボタン３１ａ〜ｃに割り振られた機能の操作内容を示すものであり。第２操作ガイド１４ａ〜ｃは、図４（ｂ）の第２状態において補助ボタン３１ａ〜ｃに割り当てられた機能の操作内容を示すものである。
以下、具体的な例を挙げて説明する。
例えば、携帯端末１００が第１状態にあるときは、補助ボタン３１ａ〜ｃは音楽再生機能の操作を実行するために割り当てられたボタンであり、第２状態にあるときは、補助ボタン３１ａ〜ｃはＴＶ視聴機能の操作を実行するために割り当てられたボタンである。
【００２６】
つまり、携帯端末１００が第１状態にあり、かつ、音楽再生機能が実行されているときは、補助ボタン３１ａの押下によって曲戻し機能（１つ前の曲を再生する）が実行され、補助ボタン３１ｂの押下によって音楽の一時停止或いは再生機能が実行され、補助ボタン３１ｃの押下によって曲送り機能（１つ次の曲を再生する）が実行される。
また、携帯端末１００が第２状態にあり、かつ、ＴＶ視聴機能が実行されているときは、補助ボタン３１ａの押下によってチャンネルを１つ前の局に戻す機能が実行され、補助ボタン３１ｂの押下によって、メインモニタ１１にテレビ番組表を表示させる機能が実行され、補助ボタン３１ｃの押下によってチャンネルを１つ次の局に送る機能が実行される。
【００２７】
こうした音楽再生機能及びＴＶ視聴機能は、上述したように制御部１０６によって制御され、実行される。なお、制御部１０６による音楽再生機能及びＴＶ視聴機能は、既存の技術を利用することが可能である。
すなわち、例えば、制御部１０６は、ユーザの操作により（キー入力部２１を介した操作でも補助ボタン３１ａ〜ｃを介した操作でもどちらでも良い）、音楽再生機能を実行し、図１に図示しない記憶部から音楽ファイル及び再生リストを読み出して再生リスト順に再生を行い、図１に図示しないヘッドホン端子等から出力する。この状態で携帯端末１００が第１状態にある場合には、補助ボタン３１ａが押下されると、制御部１０６は現在再生中の曲の再生リストにおける１曲前の曲の再生を実行し、補助ボタン３１ｂが押下されると、制御部１０６は再生中の曲の一時停止を実行し（一時停止中に再度補助ボタン３１ｂが押下されたら一時停止を解除して再び再生を始める）、補助ボタン３１ｃが押下されると、制御部１０６は現在再生中の曲の再生リストにおける１曲次の曲の再生を実行する。
【００２８】
そして、例えば、制御部１０６は、ユーザの操作により（キー入力部２１を介した操作でも補助ボタン３１ａ〜ｃを介した操作でもどちらでも良い）、ＴＶ視聴機能を実行し、図１に図示しないアンテナによってＴＶ電波を受信して、所定の方法でエンコードし、メインモニタ１１に表示する。この状態で携帯端末１００が第２状態にある場合には、補助ボタン３１ａが押下されると、制御部１０６は現在視聴中の番組の前の局番（チャンネル）の番組をメインモニタ１１に表示させ、補助ボタン３１ｂが押下されると、制御部１０６は図１に図示しない通信部を介して得たＴＶ番組表をメインモニタ１１に表示させ、補助ボタン３１ｃが押下されると、制御部１０６は、現在視聴中の番組の次の局番（チャンネル）の番組をメインモニタ１１に表示させる。
【００２９】
第１操作ガイド１３ａ〜ｃ及び第２操作ガイド１４ａ〜ｃは、上述した補助ボタン３１ａ〜３１ｃを介した操作内容の説明を表示している。
図４（ａ）に示すように、第１操作ガイド１３ａ〜ｃは、第１状態において、補助ボタン３１ａ〜ｃに対応する位置に配設されており、第１操作ガイド１３ａが補助ボタン３１ａを押下した場合に実行される音楽再生機能中の機能（曲戻し）についての説明になっており、第１操作ガイド１３ｂが補助ボタン３１ｂを押下した場合に実行される音楽再生機能中の機能（一時停止或いは再生）についての説明になっており、第１操作ガイド１３ｃが補助ボタン３１ｃを押下した場合に実行される音楽再生機能中の機能（曲送り）についての説明になっている。
【００３０】
また、図４（ｂ）に示すように、第２操作ガイド１４ａ〜ｃは、第２状態において、補助ボタン３１ａ〜ｃに対応する位置に配設されており、第２操作ガイド１４ａが補助ボタン３１ａを押下した場合に実行されるＴＶ視聴機能中の機能（チャンネルを前局に合わせる）についての説明になっており、第２操作ガイド１４ｂが補助ボタン３１ｂを押下した場合に実行されるＴＶ視聴機能中の機能（ＴＶ番組表の表示）についての説明になっており、第２操作ガイド１４ｃが補助ボタン３１ｃを押下した場合に実行されるＴＶ視聴機能中の機能（チャンネルを次局に合わせる）についての説明になっている。
なお、上記説明した補助ボタン３１ａ〜ｃの押下によって実行される各機能や第１操作ガイド１３ａ〜ｃ及び第２操作ガイド１４ａ〜ｃの配置位置ないしガイドは、全て一例であり、本発明においては自由に変更が可能である。
【００３１】
以上説明したように、本実施形態の携帯端末１００は、各補助ボタン３１ａ〜ｃの機能の操作内容を示すための第１操作ガイド１３ａ〜ｃ及び第２操作ガイド１４ａ〜ｃを有しているため、ユーザは携帯端末１００が閉じている場合の第１状態（サブモニタ１５が外側に出ている状態）と第２状態（メインモニタ１１が外側に出ている場合）の補助ボタン３１ａ〜ｃを押下した際に実行される機能を一目で理解できるようになっており、使い勝手が向上している。
【００３２】
また、図２（ａ）及び図２（ｂ）に示す、開いた状態の携帯端末１００においても、図５（ａ）及び図５（ｂ）に示すように、第１操作ガイド１３ａ〜ｃ及び第２操作ガイド１４ａ〜ｃが補助ボタン３１ａ〜ｃに対応する位置に配設されており、開いた状態においても第１操作ガイド１３ａ〜ｃ及び第２操作ガイド１４ａ〜ｃによって補助ボタン３１ａ〜ｃを押下した場合の機能を理解できるようになっている。これにより、携帯端末１００が開いた状態であっても閉じた状態であっても補助ボタン３１ａ〜ｃを押下した場合の機能が一目で理解できるようになっている。
【００３３】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００３４】
上述した実施形態においては、補助ボタンの数は３１ａ〜ｃの３個であるとしたが、本発明はこれには限定されない。補助ボタン３１は何個であっても良い。また、本実施形態では、第１操作ガイド１３及び第２操作ガイド１４は、補助ボタン３１の個数と同一数になるように構成されていたが、本発明はこれには限定されず、両者の数が異なっている場合でも良い。
【００３５】
また、上述した実施形態においては、補助ボタン３１は、携帯端末１００が第１状態にあり、かつ、音楽再生機能が実行されている場合の各機能を、また、携帯端末１００が第２状態にある場合にあり、かつ、ＴＶ視聴機能が実行されている場合の各機能を、それぞれ実行するために割り当てられたボタンであったが、本発明の携帯端末１００の補助ボタン３１に割り当てられる機能は、これには限定されない。例えば、音楽再生機能及びＴＶ視聴機能実行中以外には、補助ボタン３１ａが「前に戻る」機能を、補助ボタン３１ｂが「決定」機能を、補助ボタン３１ｃが「次に進む」機能を汎用的に実行するとしても良い。このようにすることで、補助ボタン３１をより有効活用することができ、携帯端末１００の操作性をより向上させることができる。
【００３６】
さらに、本実施形態においては、補助ボタン３１は、第１状態或いは第２状態のいずれかの状態において、何らかの機能（本実施形態では第１状態においては音楽再生機能、第２状態においてはＴＶ視聴機能）が制御部１０６によって実行されている場合の各機能を実行可能に割り当てられるボタンであったが、本発明はこれには限らない。すなわち、第１状態或いは第２状態のいずれかの状態において、何らかの機能も動作もされていない場合であっても、第１状態において補助ボタン３１が押下されると、第１操作ガイドに表示された操作内容に係る機能を、そして第２状態において補助ボタン３１が押下されると、第２操作ガイドに表示された操作内容に係る機能を実行させるように構成してもよい。
【００３７】
例えば、第１操作ガイドに表示された操作内容に係る機能が音楽再生機能の再生である場合に、携帯端末１００が図４（ａ）における第１状態で、かつ、何らの機能も動作されていない状態において、補助ボタン３１が押下されると、音楽再生機能が再生されるように構成されても良い。ただし、例えば、第１操作ガイドに表示された操作内容が例えば曲戻し機能である場合等、何らの機能も動作されていない状態から突如そのような曲の動作を行う態様が不自然な場合若しくは不可能である場合には、補助ボタン３１が押下されたら一旦その表示に係る機能の実行を行うようにしたり、或いは、前記音楽再生機能を実行した際の最後に再生した曲を予めメモリ１０２に記憶しておいて、補助ボタン３１が押下されたら上記同様にその表示に係る機能の実行を行った上で、その最後に再生された曲を基準にして曲戻し機能を実行するようにしたりする等、適宜変更可能である。このようにすることで、補助ボタン３１をより有効活用することができ、携帯端末１００の操作性をより向上させることができると共に、ユーザは第１操作ガイドあるいは第２操作ガイドに表示された操作内容に係る機能を迅速に実行することができ、便利である。
【００３８】
また、上述した実施形態においては、第１操作ガイド１３及び第２操作ガイド１４は印刷或いは刻印等によって表示されていたが、本発明はこれには限定されない。すなわち、印刷或いは刻印の代わりに、補助ボタン３１の各ボタンに対応した操作説明を表示できるような液晶ディスプレイ等可変表示器を配設し、当該表示器にその時点での補助ボタン３１を押下した場合に実行される機能のガイドを表示しても良い。また、上述した実施形態では第１操作ガイド１３は音楽再生機能実行中のみ、第２操作ガイド１４はＴＶ視聴機能実行中のみの補助ボタン３１を押下した場合に実行される機能についての説明が表示されており、すなわち第１及び第２操作ガイドが示す内容は固定であったが、本発明では、第１操作ガイド１３及び第２操作ガイド１４が液晶等可変表示器である場合には、携帯端末１００の動作している機能の状態によって変化する補助ボタン３１押下時に実行される機能に合わせて可変表示器に表示する第１及び第２操作ガイド１３、１４の内容を変化させても良い。
【００３９】
例えば、図４（ａ）における第１状態において、音楽再生機能が実行されているときと、インターネットの閲覧をしているときと、第１操作ガイド１３の表示内容を異ならしめることができる。つまり、音楽再生機能の実行時においては、「曲戻し機能」「一時停止或いは再生機能」「曲送り機能」に対応していた補助ボタン３１ａ〜ｃを、インターネット閲覧機能の実行時においては、「画面戻る」「確定」「画面進む」に対応するボタンに自動的に切り替えることができる。このようにすることで、ユーザは実行されている機能に応じて補助ボタン３１をより有効活用することができ、もって携帯端末１００の操作性をより向上させることができる。なお、この場合、インターネットの閲覧機能は、既存の技術を利用することにより実行可能である。
【００４０】
また、本実施形態における携帯端末１００は、図４における第１状態において、メインモニタ１１が下部筐体２に対向され、同図における第２状態においてはメインモニタ１１が外部に露出されるよう構成されていたが、このような場合、第２状態の時には、メインモニタ１１が外部に露出されるよう構成されているため、制御部１０６により動作可能な機能のうち補助ボタン３１に割り当てられる機能も、メインモニタ１１による画面表示を用いる機能であることが好ましい。メインモニタ１１による画面表示を用いる機能とは、例えばＴＶ視聴機能、インターネット閲覧機能、ムービー閲覧機能（既存の技術を利用することにより実行可能）等が考えられるが、無論画面表示を用いる機能であればその他の機能であっても良い。このようにすることで、補助ボタン３１をより有効活用することができ、携帯端末１００の操作性をより向上させることができると共に、メインモニタ１１をも有効活用できる。
【００４１】
また、上述した実施形態では、補助ボタン３１はヒンジ部３に配設されるとしたが、本発明はこれには限定されない。例えば、上部筐体１の側面部や下部筐体２の側面部等に補助ボタン３１を配設しても良い。この場合、例えば図６に示すように第１操作ガイド１３及び第２操作ガイド１４を配設すればよい。図６（ａ）は、電子機器１００の下部筐体２の側面部に補助ボタン３１を配設し、下部筐体２のキー入力部２１を含む面に第２操作ガイド１４を配設した場合の携帯端末１００を開いた状態にした例、図６（ｂ）は、下部筐体２の側面部に補助ボタン３１を配設し、上部筐体１の側面部に第１操作ガイド１３を配設し、携帯端末１００を閉じた状態にした例を示している。図６（ａ）及び（ｂ）に示した例でも、第１及び第２操作ガイド１３、１４は、補助ボタン３１に対応して電子機器１００に配設されているため、例えば開いた状態では補助ボタン３１にはＴＶ視聴時の各機能が割り当てられ、閉じた状態では音楽再生時の各機能が割り当てられていることが第１及び第２操作ガイド１３、１４によって利用者に分かりやすくなる。
【００４２】
また、上述した実施形態では、２軸回転型の折り畳み携帯端末について説明したが、本発明はこれには限定されない。例えば、１軸回転型の折り畳み携帯端末、水平回転型携帯端末、スライド型携帯端末等、２種類以上の状態を有する携帯端末であれば、本発明は適用可能である。この場合、図６に示した例のように補助ボタン３１を側面部に配設する等すればよい。
【図面の簡単な説明】
【００４３】
【図１】図１は、携帯端末１００の信号処理系のブロック図である。
【図２】図２は、折り畳み型の携帯端末１００が開いた状態における外観を示す図である。
【図３】図３は、ヒンジ部３による、２軸回転の具体例を示す図である。
【図４】図４は、折り畳んだ状態の携帯端末１００を上部筐体１側から見た図である。
【図５】図５は、開いた状態の携帯端末１００における第１及び第２操作ガイド１３、１４と補助ボタン３１との位置関係を示す図である。
【図６】図６は、補助ボタン３１、第１及び第２操作ガイド１３、１４の他の配設位置の一例を示す図である。
【符号の説明】
【００４４】
１００…携帯端末、１０１…通信処理部、１１１…送受信アンテナ、１０２…メモリ、１０３…音声処理部、１０４…表示部、１０５…操作部、１０６…制御部、１…上部筐体、１１…メインモニタ、１２…スピーカ、１３，１３ａ，１３ｂ，１３ｃ…第１操作ガイド、１４ａ，１４ａ，１４ｂ，１４ｃ…第２操作ガイド、１５…サブモニタ、１６…主面、１７…第２主面、２…下部筐体、２１…キー入力部、２２…マイク、２３…主面、３…ヒンジ部、３１,３１ａ,３１ｂ,３１ｃ…補助ボタン
【図１】
2008011276.tif 000003
【図２】
2008011276.tif 000004
【図３】
2008011276.tif 000005
【図４】
2008011276.tif 000006
【図５】
2008011276.tif 000007
【図６】
2008011276.tif 000008